(57)【特許請求の範囲】
【請求項１】
幅方向を湾曲状に曲げて、平角電線を筒形に巻き回した同じ巻回方向の２個の分割巻線を８の字状につなぐめがね形巻線の２個以上と分割型閉磁路コアを仕切板を介して組み合わせたチョークコイルと、外部接続端子を一体に貫設した絶縁端子板を短辺両側壁に設けた方形切欠きに嵌着した箱形容器と、前記箱形容器の内壁に当接する側面に設けられた、コア押え金具を嵌め込む方形段部と、前記箱形容器の内底と接する平面の反対面の中央部に前記側面と平行に設けられた、前記仕切板を嵌合する細長凹部と、該細長凹部の間に設けられた、前記めがね形巻線の底部を載置する円弧凹部とを有する絶縁基台とを備え、前記チョークコイルを前記箱型容器に収納して前記内底に前記基台を介して固定した箱形ノイズフィルタであって、前記コア押え金具を前記コアの基部の外面に当接して前記基台に固定することにより前記コアを閉磁路に保持すると共に、前記チョークコイルを前記基台に固定したことを特徴とする箱形ノイズフィルタ。
【請求項２】
請求項１記載の箱形ノイズフィルタにおいて、前記チョークコイルと前記外部接続端子を接続する導体が前記基台上に固定されていることを特徴とする箱形ノイズフィルタ。
【発明の詳細な説明】
【０００１】
【産業上の利用分野】
本発明は大電流用の箱形ノイズフィルタに関する。
【０００２】
【従来の技術】
大電流用の従来のノイズフィルタは、トロイダルコアに手作業で太い電線を巻き回した２個又は３個の巻線を有するチョークコイルを、絶縁ブッシュを用いて外部接続端子を設けた箱形金属容器に収納して、絶縁被覆電線と圧着端子でコイルと外部接続端子を接続し、金属容器に埋込樹脂をコイルの下部が埋まる深さに注入し固化した構造であった。
【０００３】
【発明が解決しようとする課題】
従来の箱形ノイズフィルタにおいては埋込樹脂の取り扱いが厄介であり、注入と固化に要する時間が長いという欠点があり、又太い電線を手作業で巻き回したチョークコイルは所要工数が多く、仕上がり寸法、形状の変動が大きく、製造原価が高く、電気特性の信頼性が乏しい欠点があった。又、従来の箱形ノイズフィルタは絶縁被覆電線を空中配線する作業が難しく、組立時間が長い欠点もあった。
【０００４】
従来の上述した欠点をなくすため、本発明の箱形ノイズフィルタにおいては、チョークコイルが平角電線の幅方向を湾曲状に曲げて、筒形に同じ巻回方向に巻き回した２個の分割巻線を８の字状につなぐめがね形巻線の２個以上とＵＵ形又はＵＩ形コアを組み合わせた構造とし、このチョークコイルを絶縁基台を介して箱形金属容器の内底に固定する構造とし、更に絶縁基台上にコイルと外部接続端子との接続導体を固定する構造とすることによって、組立作業が容易であり、自動装置を適用することが容易で、作業効率がよく、安価で優れた特性と高い信頼性を持つ箱形ノイズフィルタを提供することを目的とする。
【０００５】
【課題を解決するための手段】
本発明は、
幅方向を湾曲状に曲げて平角電線を筒形に巻き回した同じ巻回方向の２個の分割巻線を８の字状につなぐめがね形巻線の２個以上と分割型閉磁路コアを仕切板を介して組み合わせたチョークコイルと、外部接続端子を一体に貫設した絶縁端子板を短辺両側壁に設けた方形切欠きに嵌着した箱形容器と、前記箱形容器の内壁に当接する側面に設けられた、コア押え金具を嵌め込む方形段部と、前記箱形容器の内底と接する平面の反対面の中央部に前記側面と平行に設けられた、前記仕切板を嵌合する細長凹部と、該細長凹部の間に設けられた、前記めがね形巻線の底部を載置する円弧凹部とを有する絶縁基台とを備え、前記チョークコイルを前記箱型容器に収納して前記内底に前記基台を介して固定してなる箱形ノイズフィルタであって、前記コア押え金具を前記コアの基部の外面に当接して前記基台に固定することにより前記コアを閉磁路に保持すると共に、前記チョークコイルを前記基台に固定したことを特徴とする箱形ノイズフィルタである。
【０００７】
本発明は、上述した箱形ノイズフィルタにおいて、チョークコイルと外部接続端子を接続する導体が基台上に固定されている箱形ノイズフィルタである。
【０００８】
【作用】
絶縁基台は箱形金属容器の内底に固定されて、チョークコイル及び接続導体を容器の内面から絶縁して保持する。コア押え金具は絶縁基台に固定されてコアを閉磁路に保つと共に、チョークコイルを基台上に保持する。基台に固定した接続導体は、コイル及び外部接続端子と定位置で接続を行う。
【０００９】
【実施例】
図１に本発明の一実施例を蓋体を省略した分解斜視図で示す。
【００１０】
図１において、チョークコイル１（以下コイルと記す）は三相コモンモードチョークコイルであり、箱形金属容器２の内底に配置する絶縁基台３（以下基台と記す）に、コイル１に添えて示したコ字形のコア押え金具４の２個を用いて固定される。
【００１１】
箱形金属容器２は矩形開口の短辺両側壁に方形切欠き５を設けて、切欠き５に図では３個の外部接続端子７を一体に貫設した絶縁端子板６を嵌着するものである。
【００１２】
コイル１を分解して絶縁基台３と共に図３に示す。コイル１は、めがね形巻線８とＵＵ形コア９を組み合わせたものであり、めがね形巻線８の第一の分割巻線８１と第二の分割巻線８２とはつながっている。
【００１３】
めがね形巻線８は、図３に外観を示したように、断面矩形の平角電線を縦巻きにして、換言すると、電線の幅方向を湾曲状に曲げて平角電線を円筒形に巻き回して第一の分割巻線８１（図３で右側、巻回方向は右巻で左に巻き進む）を形成し、第一の分割巻線の巻き終わりが第二の分割巻線の巻き初めになって８の字状につなぎ、第一の分割巻線８１と同じ巻回方向の第二の分割巻線８２（図３で左側、右巻きで右に進む）を形成した形状のものである。分割巻線８１，８２の巻回数は同じでなくとも支障はない。めがね形巻線８は自動装置で作ることができ、縦に、即ち幅方向に単層に巻き回すことにより、同じ巻線容積の太丸線の重ね巻きに比べると、占積率が７０％台から９０％台に高まり、浮遊容量が減少し、浮遊容量のばらつきが小さく、コイルの周波数特性が良く、めがね形に分割することにより、コアとの磁気結合度が良い等の特長を持っている。
【００１４】
ＵＵ形コア９は両方の磁脚９１の断面が六角形であり、基部９２の中央部が円周面である。磁脚の断面形状は、円形、八角形等であってもよい。
【００１５】
絶縁基台３は箱形金属容器２の内底よりも小さい。かつ矩形開口の長辺両側壁にほぼ当接する大きさの方形厚板であり、上面に箱形金属容器２の内壁当接側面３１の中央部にわたる方形段部３２の凹部２個を設け、中央部に内壁当接側面３１と平行に細長凹部３３の４個と、細長凹部３３を繋ぐ形の円弧凹部３４の６個とを設け、ＵＵ形コア９の磁脚を絶縁円筒１２に装着し、仕切板１１に固定された複数のめがね形巻線８の分割巻線８１，８２からなるチョークコイル１をセットするために、仕切板１１は細長凹部３３に嵌合され、円弧凹部３４にはめがね形巻線８の底部が据え付けられる。更に箱形金属容器２の切欠き５と対向する両辺縁に沿って、６個のＵ溝を有する接続導体１０を一部を外方に突出させて固着してある。
【００１６】
箱形ノイズフィルタの組立は、最初にチョークコイル１を箱形金属容器２の外で組み立てる。めがね形巻線８の分割巻線８１，８２の中央孔に対応する２個の透孔のある絶縁仕切板１１の４個の間に、３個のめがね形巻線８を順に挟んで同心に並べて中央孔と透孔との連通孔に絶縁円筒１２を挿通し、絶縁円筒１２の両側からＵＵ形コア９の磁脚９１を挿入して仮組立を行う。この仮組立上がりを基台３に載せて仕切板１１を細長凹部３３に嵌合し、めがね形巻線８の底部を円弧凹部３４に入れてから２個のコア押え金具４を方形段部３２にそれぞれ嵌め込み、コア押え金具４の上方自由端をＵＵ形コア９の基部９２の外面に当接してコア押え金具４を方形段部３２中央側の壁面にねじ止めする。このコア押え金具４の固定によりチョークコイル１が絶縁基台３に固定され、同時にＵＵ形コア９が閉磁路になる。
めがね形巻線８の両端は接続導体１０の絶縁基台３上の立上がり片と対向するので、ねじ止めしてから半田付けにより簡単に接続できる。
【００１７】
絶縁端子板６を外した箱形金属容器２にチョークコイル１と一体にした絶縁基台３を嵌め入れて、内底に位置決めしてねじ止めする。めがね形巻線８と接続導体１０は箱形金属容器２の内底から離間しているので、箱形金属容器２の内壁を絶縁紙で覆う必要はない。
【００１８】
箱形金属容器２の切欠き５に絶縁端子板６を嵌着する。外部接続端子７の内方へのねじ棒が接続導体１０の立上がり凹部を通るので、外部接続端子７と接続導体１０とを容易に接続できる。図示しない金属蓋体を箱形金属容器２に組み付けて箱形ノイズフィルタができあがる。
【００１９】
【発明の効果】
以上説明したように、本発明によれば、自動装置で作る平角電線の縦に巻き回しためがね形巻線を用い、埋込樹脂を省いて絶縁基台を介してチョークコイルを箱形金属容器に固定する構造であるから、幅方向に単層に巻き回すことにより、同じ巻線容積の太丸線の重ね巻きに比べると、占積率が７０％台から９０％台に高まり、浮遊容量が減少し、そのばらつきが小さくなり、コイルの周波数特性が良く、コアとの磁気結合度が良い。更に、組立作業が簡単であり、自動装置を適用することが容易であり、効率よく製造でき、安価で優れた特性と高い信頼性を持つ大電流用の箱形ノイズフィルタを提供できる。
【図面の簡単な説明】
【図１】本発明の一実施例を蓋体を省いて示す分解斜視図。
【図２】図１におけるチョークコイルを分解して絶縁基台と共に示す斜視図。
【図３】本発明に用いられるめがね形巻線の外観斜視図。
【符号の説明】
１    チョークコイル
２    箱形金属容器
３    絶縁基台
４    コア押え金具
５    切欠き
６        絶縁端子板
７        外部接続端子
８        めがね形巻線
９        ＵＵ形コア
１０        接続導体
１１        仕切板
１２        絶縁円筒
３１        内壁当接側面
３２        方形段部
３３        細長凹部
３４        円弧凹部
８１，８２        分割巻線
９１        磁脚
９２        基部
【図１】
0003568218.tif 000002
【図２】
0003568218.tif 000003
【図３】
0003568218.tif 000004